(57)【特許請求の範囲】
【請求項１】
他の通信端末と通信をする通信部と、
複数のアプリケーションプログラムを記憶する記憶部と、
ユーザによる操作を検出する操作検出部と、
アプリケーションプログラムを実行する制御部と、を備え、
前記制御部は、第１のアプリケーションプログラムを実行している場合において、前記操作検出部により検出された操作が第１の操作であるときは、前記複数のアプリケーションプログラムの少なくとも一部の使用を制限し、第２のアプリケーションプログラムを実行し、前記第１アプリケーションプログラムにてユーザにより実行された処理を前記記憶部に記憶させ、そして前記処理に関する第１の情報を前記通信部を介して前記他の通信端末に送信すること、
を特徴とする通信端末。
【請求項２】
請求項１に記載の通信端末であって、
前記制御部は、前記第２のアプリケーションプログラムを実行中に前記操作検出部により検出された操作が第２の操作であるときは、前記第２のアプリケーションプログラムの実行を終了し、そして前記複数のアプリケーションプログラムの少なくとも一部の使用の制限を解除すること、
を特徴とする通信端末。
【請求項３】
請求項２に記載の通信端末であって、
表示部を更に有し、
前記制御部は、前記操作検出部により検出された操作が第２の操作であるときは、前記第１の操作が検出されたときに前記表示部に表示されていた画面を前記表示部に表示すること、
を特徴とする通信端末。
【請求項４】
請求項２に記載の通信端末であって、
前記通信部は、前記第２のアプリケーションを実行中に、前記他の通信端末から前記第１の情報に関連付けられた第２の情報を受信したときは、前記第２の情報を前記記憶部に記憶すること、
を特徴とする通信端末。
【請求項５】
請求項４に記載の通信端末であって、
前記制御部は、前記第２の操作が検出された場合は、前記第２の情報を用いて、前記第１のアプリケーションを実行すること、
を特徴とする通信端末。
【請求項６】
前記請求項５に記載の通信端末であって、
前記制御部は、前記第２の操作が検出された場合において、前記記憶部に前記第２の情報が記憶されていないときは、前記第１の情報を用いて前記第１のアプリケーションを実行すること、
を特徴とする通信端末。
【発明の詳細な説明】
【技術分野】
【０００１】
本発明は、携帯電話機、ＰＤＡ（Personal Digital Assistant）、タブレットＰＣ（Tablet PC）および電子書籍端末等の通信端末に関する。
【背景技術】
【０００２】
スマートフォンやＰＤＡ等のような通信端末は多機能化が進み、通話するだけでなく、アプリケーションプログラム（以下、「アプリケーション」又は単に「アプリ」と称する場合がある）を実行して特定の機能を実行させることが可能となっている。
【０００３】
しかしながら、携帯端末が幅広い年代層に浸透するに伴い、例えば、親子間の連絡手段として用いられるケースが増えているが、上記のような多機能化により携帯端末を与えられた子供が親の意図しない情報源へアクセスすることや、親の意図しないアプリケーションを実行する可能性がある。
【０００４】
上記課題に鑑み、例えば特許文献１には、通信端末の操作者が子供である場合に、通信端末の操作を制限してセキュリティを確保するとともに、所定の操作については許容して遊ばせる技術が記載されている。
【先行技術文献】
【特許文献】
【０００５】
【特許文献１】特開２００３−１６３７３９号公報
【発明の概要】
【発明が解決しようとする課題】
【０００６】
ところが、親が通信端末の機能を制限して子供に通信端末を使用させる場合には、親は機能を制限した時点に実行していた機能を継続して利用することができない虞がある。
【０００７】
上記課題に鑑み、本発明は、通信端末の機能を制限した場合であっても、制限を解除した後に継続して機能を実行させることが可能な通信端末を提供することを目的とする。
【課題を解決するための手段】
【０００８】
上記課題を解決するために本願発明に係る通信端末は、他の通信端末と通信をする通信部と、複数のアプリケーションプログラムを記憶する記憶部と、ユーザによる操作を検出する操作検出部と、アプリケーションプログラムを実行する制御部と、を備え、前記制御部は、第１のアプリケーションプログラムを実行している場合において、前記操作検出部により検出された操作が第１の操作であるときは、自機が有する機能の少なくとも一部の使用を制限し、第２のアプリケーションプログラムを実行し、前記第１アプリケーションプログラムにて実行されている処理を前記記憶部に記憶させ、そして前記処理に関する第１の情報を前記通信部を介して前記他の通信端末に送信することを特徴とする。
【発明の効果】
【０００９】
本発明によれば、機能が制限された場合であっても、作業中の内容を失うことがない。
【図面の簡単な説明】
【００１０】
【図１】携帯電話機１００の外観斜視図である。
【図２】携帯電話機１００の構成図である。
【図３】記憶部１１０に記憶されるテーブルの一例を示す図である。
【図４】記憶部１１０に記憶されるテーブルの一例を示す図である。
【図５】携帯電話機１００にて行われる処理を説明するためのフローチャートである。
【図６】変形例における携帯電話機１００の構成図である。
【図７】変形例における携帯電話機１００にて行われる処理を説明するためのフローチャートである。
【発明を実施するための形態】
【００１１】
以下、本発明に係る通信端末の実施の形態の一つとして、携帯電話機１００を用いて説明する。本実施例では携帯電話機１００を用いて説明するが、本実施例の記載の内容は、携帯電話機以外の端末装置、例えばＰＤＡ、タッチパネルを有するＰＣ（personal computer）等にも適用できる。
【００１２】
図１は、携帯電話機１００の外観斜視図である。筐体には、タッチパネル１０２、スピーカ１０３、マイク１０４、及び操作部１０５が設けられている。タッチパネル１０２には、ユーザからの指示に基づいて、カーソルキーやテンキー等のキー群やアイコン等が表示される。
【００１３】
図２は、携帯電話機１００の構成図である。携帯電話機１００は、タッチパネル１０２、スピーカ１０３、マイク１０４、操作部１０５、アンテナ１０６、無線部１０７、信号処理部１０８、記憶部１１０、及び制御部１１１を含んで構成される。
【００１４】
無線部１０７は、アンテナ１０６を介して送受信する信号の変復調を行う。また無線部１０７は、アンテナ１０６を介して、他の携帯電話機から送信された通話要求を受信することができる。無線部１０７は、他の携帯電話機が送信した通話要求を受信することができる。無線部１０７は、受信した通話要求を制御部１１１に出力する。また無線部１０７は、他の携帯電話機から送信された電子メール等のデータを受信し、制御部１１１へ出力することができる。
【００１５】
信号処理部１０８は、マイク１０４から入力される音声信号を無線部１０７を介して送信するための処理や、アンテナ１０６から無線部１０７を介して受信した音声信号をスピーカ１０３へ出力するための処理を行う。
【００１６】
マイク１０４は、入力された音声を音声信号として信号処理部１０８へ出力する。
【００１７】
スピーカ１０３は、信号処理部１０８にて処理された音声信号又は制御部１１１より受け取った音声データを音声として出力する。
【００１８】
操作部１０５は、ユーザによる操作を受け付けることができる。操作部１０５は受け付けた操作を制御部１１１に出力する。操作部１０５は、ハードキー等により構成される。
【００１９】
タッチパネル１０２は表示部１１２及び入力部１１３を有する。
【００２０】
表示部１１２は、ＬＣＤ（Ｌｉｑｕｉｄ  Ｃｒｙｓｔａｌ  Ｄｉｓｐｌａｙ）を含み、制御部１１１からの指示に基づいて、文字やアイコン等の画像をＬＣＤに表示する機能を有している。
【００２１】
入力部１１３は、ユーザによるタッチを検出し、検出している間、単位時間（例えば１／６０秒）毎に、タッチしている位置の座標値を、制御部１１１及び記憶部１１０に出力する。尚、本実施例において、タッチとは、ユーザが指等で入力部１１３を触ることであ
り、デタッチとは、ユーザが指で入力部１１３を触れている場合に、触れている指を入力部１１３から離すことであり、スライドとは、ユーザが指で入力部１１３に触れている場合に、触れているユーザの指が接触を維持しながら移動することである。入力部１１３は、座標値を検出するとタッチされたと判断する。入力部１１３が、検出している座標値が検出されなくなったらデタッチと判断する。入力部１１３は、検出している座標値が時間と共に変化している場合は、スライドと判断する。尚、入力部１１３に触れるのは、ユーザの指だけに限らない。ユーザの指以外のペン等でもよい。入力部１１３は、一般的なタッチパネル１０２で用いられている抵抗膜方式、光学式、静電容量結合式等の何れの方法で実現するものであってもよい。また、入力部１１３は、ユーザによるタッチを同時に複数検出してもよい。入力部１１３は、ユーザによるタッチを一つ検出している場合において、ユーザによる新たなタッチを検出してもよい。入力部１１３は、既にタッチされている位置の座標値と、新たにタッチされた位置の座標値とを制御部１１１に出力してもよい。
【００２２】
尚、本実施例では、タッチパネル１０２は表示部１１２と入力部１１３とを含むことで記載したが、タッチパネルは入力部１１３のみを含み、表示部１１２はタッチパネル１０２に含まれないようにしてもよい。つまり、タッチパネル１０２と表示部１１２は、個々のデバイスから構成されてもよい。
【００２３】
記憶部１１０は、ＲＯＭ、ＲＡＭ、ＥＥＰＲＯＭ、不揮発性ＲＡＭ、フラッシュメモリ、ＨＤＤ等で構成され、制御部１１１で処理されるプログラム等を記憶する。
【００２４】
また、記憶部１１０は、ユーザによるタッチを検出している間、各入力部１１３から出力される座標値を単位時間（例えば１／６０秒）毎に記憶する機能を有する。つまり、記憶部１１０は、タッチ状態からデタッチ状態までの間に出力された座標値を記憶する。
【００２５】
また、記憶部１１０は、複数のアプリケーションプログラムを記憶しており、表示部１１２に表示されるアイコンとアプリケーションとを関連付けて記憶している。
【００２６】
また、記憶部１１０は、図３に示されるように、第１のモードと第２のモードとにおいて、実行できるアプリケーションの関係を記憶している。図３に示されるように、第１のモードでは、全てのアプリケーションプログラムを実行することができる。一方、第２のモードでは、ＷＥＢアプリケーションプログラム、ゲームアプリケーションプログラム及びカメラアプリケーションプログラムは実行できるが、メールアプリケーションプログラム、ナビアプリケーションプログラム、及び音楽アプリケーションプログラムは実行が禁止されている。本実施の形態においては、アプリケーション単位で実行可能又は禁止の設定がなされていることで記載するが、必ずしもこの例に限られない。例えば、アプリケーションが有する機能ごとに、実行可能又は禁止の設定がなされてもよい。例えば、メールアプリケーションは、メールの受信、メールの送信、受信ボックスの閲覧等、様々の機能を有している。この場合に、メールアプリケーションそのものの実行を禁止してもよいし、メールに関するアプリケーションが有する様々な機能のうち、例えば、メールの受信及び受信ボックスの閲覧の実行を禁止することとしてもよい。この場合には、メールに関するアプリケーションは実行できるが、メールの受信と受信ボックスの閲覧は制限されることになる。尚、図３は一例であって、第２のモードで実行を禁止するアプリケーションプログラムは任意に設定できる。また、第１のモードにおいても、実行が禁止されるアプリケーションプログラムがあってもよい。
【００２７】
また記憶部１００は、後述する制御部１１１の指示により、アプリケーションプログラムの実行中にユーザにより処理されている作業内容を記憶できる。図４は、作業内容の記憶に関する一例を示す表である。図４に示されるように、記憶部１１０は、アプリケーシ
ョン名、実行中の機能、及び関連データの有無を記憶する。関連データの有無とは、アプリケーションの再起動に伴って、利用するデータが有るか否かを示している。
【００２８】
例えば、図４（Ａ）は、アプリケーションプログラムとしてメールアプリケーションプログラムの作業内容の記憶に関する表である。アプリケーション名として「メールアプリケーション」、実行中の機能として「新規メールの作成」、関連データの有無として「有り」が記憶されている。この場合、関連データとは、作成中のメールデータである。メールアプリケーションプログラムを再実行した場合に、関連データを参照することで、第２のモードに設定される前の状態からメールの作成を継続できる。
【００２９】
図４（ｂ）は、アプリケーションプログラムとして、ＷＥＢページを閲覧する際に使用するＷＥＢアプリケーションプログラムの作業内容の記憶に関する表である。アプリ名として「ＷＥＢアプリケーション」、実行中の機能として「Webページの表示」、関連デー
タの有無として「有り」が記憶されている。この場合、関連データとは、現在表示されているWebページのURL等の情報である。インターネットに関するアプリケーションプログラムを再起動した場合に、関連データを参照することで、第２のモードが設定される前に表示されていたWebページを表示することができる。また、メールに関するアプリケーショ
ンプログラムにて実行されている機能が例えば受信ボックスの閲覧等の場合には、関連データは「無し」となる。再実行する場合に受信ボックスを表示すればよいので、関連データは無くてもよい。後述する機能実行部１１４は、図４に示される情報を参照することにより、第２のモードが解除された場合に、実行されるべきアプリケーション及び機能を特定できる。
【００３０】
また記憶部１１０は、第１のモードから第２のモードに設定されたときに、機能実行部１１４により実行されるアプリケーション（以下、第２のアプリケーションプログラムと称する）を記憶する。
【００３１】
この第２のアプリケーションは、第２のモードに設定された場合に起動されるアプリケーションであり、例えばゲームアプリケーション等、親が子供に利用させたいアプリケーションである。本実施例においては、第２のアプリケーションプログラムを実行することで記載するが、必ずしも第２のアプリケーションプログラムを実行する必要はなく、単に第２のモードを設定するだけでもよい。この場合、第２のモードに設定される際に第１のモードで実行されていたアプリケーションプログラムがあるときは、アプリケーションプログラムの実行を終了し、待ち受け画面を表示してもよい。第２のモードに設定する際に待ち受け画面が表示されている場合、つまり第１のモードにてアプリケーションプログラムが実行されていない場合、そのまま待ち受け画面の表示が第２のモードでも継続される。
【００３２】
また、記憶部１１０は、制御部１１１の指示に基づき、様々なデータを記憶することができる。
【００３３】
制御部１１１は、機能実行部１１４、操作判定部１１５、及びモード設定部１１６を有する。制御部１１１は、携帯電話機１００の全体動作の制御をできる。制御部１１１は、例えばＣＰＵ（Central Processing Unit）などの処理手段を有する。制御部１１１は、
複数のＣＰＵを含み、機能実行部１１４、操作判定部１１５、及びモード設定部１１６の夫々の機能を、個々のＣＰＵに割り当てることでこれらの機能を実行してもよい。また、制御部１１１は、単一のＣＰＵのみを含み、一つのＣＰＵが機能実行部１１４、操作判定部１１５、及びモード設定部１１６の機能を実行してもよい。上記に関わらず、制御部１１１は、複数のＣＰＵを含んでもよいし、単一のＣＰＵにのみで構成されてもよい。
【００３４】
また、記憶部１１０は、機能実行部１１４、操作判定部１１５、及びモード設定部１１６に関する機能をプログラムとして記憶し、制御部１１１は、必要に応じて記憶部１１０からプログラムを取得し、実行することで、機能実行部１１４等の機能を実行してもよい。この場合には、図２に示される制御部１１１は、記憶部１１０からプログラムを取得し、実行した後の制御部１１１を表している。
【００３５】
機能実行部１１４は、ユーザの操作に応じて、記憶部１１０に記憶されているアプリケーションプログラムを実行することができる。機能実行部１１４は、モード設定１１６により第２のモードに設定されている場合において、アプリケーションプログラムの実行に関する操作を受け付けたときは、図３を参照し、そのアプリケーションプログラムの実行が許可されている場合に実行する。機能実行部１１４は、アプリケーションプログラムの実行が禁止されている場合は、ユーザによる指示があったとしても、指定されたアプリケーションプログラムを実行しない。
【００３６】
また、機能実行部１１４は、第１のモードにおいて第１のアプリケーションプログラムを実行している場合に、モード設定部１１６により第２のモードに設定されたときは、第１のアプリケーションプログラムの実行を終了し、記憶部１１０を参照することにより、第２のモードに設定された場合に起動される第２のアプリケーションプログラムを特定し、実行する。
【００３７】
また、機能実行部１１４は、第１のアプリケーションプログラムを終了して第２のアプリケーションプログラムを実行する場合には、第１のアプリケーションプログラムにて行われていた作業内容を記憶部１１０に記憶する。
【００３８】
また、機能実行部１１４は、第２のモードから第１のモードに設定されると、記憶部１１０に記憶された作業内容を用いて、第１のアプリケーションプログラムを再度起動する。
【００３９】
例えば、機能実行部１１４は、メールのアプリケーションプログラムを実行している場合に、第２のモードに設定されたときは、メールのアプリケーションプログラムを終了し、子供が楽しめるように、ゲームに関連したアプリケーションプログラムを実行する。そして、第２のモードに設定された場合に、ユーザがメールのアプリケーションプログラムを実行して行っていた作業を記憶部１１０に記憶する。作業内容とは、メールを作成中であれば、作成中のメールを下書きとして保存し、受信ボックスを閲覧している場合には、受信ボックスに関する機能を実行していたことを記憶する。
【００４０】
そして、機能実行部１１４は、第２のモードから第１のモードに設定された場合には、ゲームアプリケーションプログラム（第２のアプリケーションプログラム）又は第２のモードの間に実行されたアプリケーションプログラムの実行を終了し、メールアプリケーションプログラムを再起動する。この場合に機能実行部１１４は、記憶部１１０に記憶されていた作業内容を読み出し、その内容を反映させるようにメールのアプリケーションプログラムを実行する。例えば、機能実行部１１４は、作業内容として作成中のメールが保存されている場合には、メールのアプリケーションを実行するとともに、編集中のメールを表示する。こうすることで、ユーザは、第２のモードに設定される前と同じ作業を継続して行うことができる。
【００４１】
操作判定部１１５は、入力部１１３により検出されたユーザによるタッチ位置の変化に基づいて、特定の入力操作が行われたか否かを判定する。例えば、操作判定部１１５は、ユーザによるタッチ位置の変化が特定の軌跡を描いた場合に特定の入力操作が行われたと判定してもよいし、ユーザによりタッチ位置が所定時間変化が無い場合に特定の入力操作
が行われたと判定してもよい。操作判定部１１５は、特定の入力操作が行われたと判定した場合には、その結果をモード設定部１１６に出力する。
【００４２】
モード設定部１１６は、携帯電話機１００のモードを第１のモード又は第２のモードに設定することができる。第１のモードとは、アプリケーションプログラムを実行するのに制限がないモードである。第２のモードとは、図３に示されるように、一部のアプリケーションプログラムの実行が禁止されるモードである。モード設定部１１６は、第１のモードに設定している場合において前記操作判定部１１５により特定の入力操作が行われたと判定されたときは、第１のモードから第２のモードに変更する。モード設定部１１６は、第２のモードに設定している場合において前記操作判定部１１５により特定の入力操作が行われたと判定されたときは、第２のモードから第１のモードに変更する。
【００４３】
尚、第１のモードから第２のモードに設定するための特定の入力操作と、第２のモードから第１のモードに設定するための特定の入力操作とは、同じ入力操作であってもよいし、互いに異なる入力操作であってもよい。例えば、第１のモードから第２のモードに設定するための入力操作を第１の操作とし、第２のモードから第１のモードに設定するための入力操作を第１の操作とは異なる第２の操作としてもよい。
【００４４】
次に、図５を用いて、本実施の形態にかかる携帯電話機１００の動作について説明する。図５は、携帯電話機１００が実行する動作を説明するための図である。
【００４５】
モード設定部１１６は、携帯電話機１００の電源がオンされると、第１のモードに携帯電話機１００を設定する（ステップＳ１）。制御部１１１は、待ち受け画面を表示部１１２に表示する（ステップＳ２）。
【００４６】
待ち受け画面が表示されている場合に、機能実行部１１４は、ユーザにより特定のアプリケーション（第１のアプリケーションと称する）の実行がユーザにより操作されたか否かを判断する（ステップＳ３）。第１のアプリケーションの実行が操作されていない場合には（ステップＳ３のＮｏ）、操作判定部１１５は、ユーザにより特定の入力操作がなされたか否かを判定する（ステップＳ２１）。特定の操作がなされていない場合には、待ち受け画面の表示を継続する（ステップＳ２１のＮｏ）。
【００４７】
次に、Ｓ２１にて、ユーザの操作が特定の入力操作と判定された場合は、モード設定部１１６は、携帯電話機１００を第２のモードに設定し、機能実行部１１４は、第２のアプリケーションプログラムを実行する（ステップＳ２２）。操作判定部１１５は、第２のモードに設定されている場合に、ユーザにより特定の入力操作がされたか否かを判定する（ステップＳ２３）。ユーザにより特定の入力操作がされた場合には、Ｓ１の処理を実行する（ステップＳ２３のＹｅｓ）。つまり、機能実行部１１４は、第２のモードにて実行されていたアプリケーションプログラムを終了し、モード設定部１１６は、携帯電話機１００を第１のモードに設定し、待ち受け画面が表示される。
【００４８】
次に、Ｓ３にて第１のアプリケーションプログラムが実行されている場合は（ステップＳ３のＹｅｓ）、操作判定部１１５は、ユーザにより特定の入力操作が行われたか否かを判定する（ステップＳ４）。操作判定部１１５により特定の入力操作と判定されたときは、機能実行部１１４は、第１のアプリケーションプログラムにて現在行われている作業内容等を記憶部１１０に記憶する（ステップＳ５）。次にモード設定部１１６は、携帯電話機１００を第２のモードに設定し、機能実行部１１４は、第２のアプリケーションプロ
グラムを実行する（ステップＳ６）。そして、第２のモードに設定されている場合に、ユーザにより特定の入力操作がされたか否かを判定する（ステップＳ７）。ユーザにより特定の入力操作がされた場合には、機能実行部１１４は、第２のモードにて実行されていた
アプリケーションプログラムを終了する。そして、モード設定部１１６は、携帯電話機１００を第１のモードに設定し、機能実行部１１４は、記憶部１１０に記憶された作業内容を用いて第１のアプリケーションプログラムを再実行する。
【００４９】
以上の動作により、ユーザは、携帯電話機１００の有する機能が制限される第２モードに設定した場合に、作業中の内容が記憶されるため、機能を制限し、子供に利用させた後にユーザが再度使用するときに、子供に利用させる前の状態から携帯電話機１００を利用することができる。つまり、第２のモードの設定前と解除後で同じ画面が表示されるので、ユーザは子供に利用させる前の状態から作業を継続できる。
【００５０】
上述した実施例では、記憶部１１０に記憶される作業内容は、第２モードに設定されている間は更新されないことで記載したが、必ずしもこの例に限られない。例えば、携帯電話機１００は、第２モードに設定された場合に、作業内容を記憶部１１０に記憶し、そして作業内容を予め定められた他の通信端末（以下、第２の通信端末）に送信してもよい。そして、第２モードに設定されている間に、第２の通信端末から更新された作業内容を受信した場合には、記憶部１１０に記憶されている作業内容を更新してもよい。こうすることで、ユーザは、携帯電話機１００を第２モードに設定し、子供に利用させた場合であっても、作業内容は第２の通信端末に送信されるため、携帯電話機１００とは別の第２の通信端末にて継続して作業を進めることができる。また、第２の通信端末で行った作業内容を携帯電話機１００に送信すれば、携帯電話機１００は記憶部１１０に記憶された作業内容を更新するため、第２モードが終了した場合に、第２の通信端末で行った処理を反映させた状態でアプリケーションプログラムを再度実行させることができる。
【００５１】
上記の実施例における携帯電話機１００の構成は図６に示される。図２と同じ内容については同じ符号を付与している。
【００５２】
記憶部２００は、図２の記憶部１１０が有する機能に加え、第２のモードが設定された場合に、記憶した作業内容を送信する送信先（第２の通信端末）に関する情報を記憶することができる。第２の通信端末に関する情報とは、例えば第２の通信端末のメールアドレス等である。
【００５３】
また記憶部２００は、作業内容を保存する場合に、特定の識別情報と関連づけて記憶することができる。作業内容を第２の通信端末に送信する場合に、特定の識別情報を一緒に送信する。第２の通信端末からデータを受信した場合に、受信したデータに特定の識別情報が含まれているときは、受信したデータが、作業内容に関するデータであると判断することができる。作業内容に関するデータの場合には、受信したデータに基づいて、図４の内容が更新される。特定の識別情報が関連付けられていないデータを受信した場合には、作業内容と異なると判断され、記憶部に記憶された作業内容は更新されない。
【００５４】
制御部２０１は、図２に記載された制御部１１１の機能に加え更に、更新部１１８及び送信制御部１１７を有する。
【００５５】
送信制御部１１７は、記憶部に記憶された作業内容及び特定の識別情報を、無線部１０７を介して第２の通信端末に送信することができる。
【００５６】
更新部１１８は、無線部１０７を介してデータを受信した場合に、受信したデータに特定の識別情報が含まれているときは、受信したデータを作業内容に関するデータと判定し、記憶部１１０に記憶されている作業内容を受信したデータに更新する。具体的には、上述した図４の表を第２の通信端末からのデータに基づいて、更新する処理を行う。
【００５７】
次に、図７を用いて、携帯電話機１００が行う動作について説明する。尚、図５のステップＳ６とステップＳ８の間に新たな処理が追加されるのみなので、図７において、Ｓ１、Ｓ２、Ｓ３、Ｓ４、Ｓ５、Ｓ２１、Ｓ２２、Ｓ２３、Ｓ８の記載は省略する。Ｓ６とステップＳ８の間に追加された処理以外の動作は、図５に記載された内容、及び図５の説明と同じである。
【００５８】
図７のステップＳ６において、第２のモードが設定され、第２のアプリケーションが実行されると、送信制御部１１７は、記憶部１１０に記憶された作業内容及び識別情報を第２の通信端末に送信する処理を実行する。
【００５９】
次に、制御部２０１は、見せん部１０７を介して第２の通信端末からデータを受信したか否かを判断する。第２の通信端末からデータを受信していない場合には、ステップ３５の処理に遷移する。第２の通信端末からデータを受信した場合には（ステップ３２のＹｅｓ）、更新部１１８は、受信したデータに識別情報が含まれているか否かを判定する。受信したデータに識別情報が含まれていない場合には、Ｓ４１に遷移し、受信したデータを記憶部２００に記憶する。
【００６０】
次に、受信したデータに識別情報が含まれている場合には、更新部１１８は、受信したデータの内容に基づいて、記憶部２００に記憶されている作業内容を更新する（ステップ３４）。つまり、図４の表を受信したデータに基づいて更新し、Ｓ３５に遷移する。操作判定部１１５は、Ｓ３５にて、ユーザにより特定の入力操作が行われた否かを判定する。ユーザにより特定の入力操作が行われた場合には、Ｓ８に遷移する（Ｓ３５のＹｅｓ）。ユーザにより特定の入力がなされていない場合には、Ｓ３２に遷移する。
【００６１】
以上の動作により、ユーザは、携帯電話機１００を機能が制限される第２モードに設定した場合に、作業中の内容を予め定められた通信端末に送信するので、ユーザは、他の通信端末を用いて作業を継続することができる。また、他の通信端末にて行った作業内容を携帯電話機１００に送信すると、携帯電話機１００の記憶部２００に記憶されている作業内容が更新されるため、ユーザは、第２のモードが終了した場合に、更新された作業内容から作業を継続することができる。
【００６２】
尚、本発明の実施の形態は上述した通りであるが、上述の動作に限定されない。例えば、図７において、第２の通信端末への作業内容の送信は、Ｓ６の後に行うことで記載したが、Ｓ６の処理の前に、第２の通信端末に作業内容を送信してもよい。
【００６３】
また、ユーザが第２の通信端末で作業を継続している場合に、第２の通信端末にて作業が完了する場合がある。このとき、携帯電話機１００にて第２のモードが解除された際に、第１のアプリケーションが再度実行されると、ユーザにとっては必要の無いアプリケーションが再度実行されることとなる。そのため、第２の通信端末にて作業が完了した場合には、第２の通信端末は、識別情報とともに、作業が完了した旨を示すデータを携帯電話機１００に送信してもよい。更新部１１８は、作業が完了した旨を示すデータを受信すると、図４の表に記憶された情報を削除してもよい。図４の表に記憶された情報を削除することで、作業内容に関するデータが削除される。これにより、第２のモードが解除された場合に、機能実行部１１４は、図４を参照したとしても、起動すべきアプリケーションプログラムの情報、及び実行すべき機能等の情報がないため、第１のアプリケーションプログラムを再度実行しない。この場合、第１のアプリケーションプログラムが再度実行されないので、第２のモードが解除された後は、待ち受け画面が表示されてもよい。
【００６４】
更新部１１８は、第２のモードが解除された後に、第２の通信端末から作業内容及び識別情報等のデータを受信したときは、受信したデータを記憶部２００に記憶せず、破棄し
てもよい。
【００６５】
また、送信制御部１１７は、第２の通信端末に作業内容を送信する場合において、関連データが有るときは、第２の通信端末に、関連データを送信してもよい。例えば、関連データとして編集中の文章ファイルが保存されているときは、送信制御部１１７は、編集中の文章ファイルを第２の通信端末に送信してもよい。こうすることで、ユーザは、携帯電話機にて作業を行っていた同じファイルを用いて、第２の通信端末にて作業を継続できる。
【００６６】
また、送信先は、必ずしも通信端末に限られない。送信制御部１１７は、例えば、サーバなどに作業内容、関連データ等を送信してもよい。作業内容等がサーバに送信された場合には、ユーザは、他の通信機器からサーバに接続し、作業を継続することができる。この場合、更新された作業内容等のデータは、サーバから受信することになる。
【００６７】
本実施の形態において、第１のアプリケーションプログラムの例として、メールアプリケーションプログラム、及びＷＥＢアプリケーションプログラムを記載したが、これら以外のアプリケーションプログラムであってもよい。例えば、音楽に関するアプリケーションプログラムであってもよいし、写真アルバムに関するアプリケーションプログラムであってもよし、画像編集に関するアプリケーションプログラムであってもよい。
【００６８】
本実施例の形態において、第１のアプリケーションとしてメールアプリケーション、第２のアプリケーションとしてゲームアプリケーションを例としたが、必ずしもこの場合に限られない。第１のアプリケーションは、図３に示されるように、第１のモードで実行可能であるが第２のモードでは実行が制限されているアプリケーションであればいずれでもよく、第２のアプリケーションは、第２のモードにて実行が制限されていないアプリケーションであればいずれでもよい。つまり、子供の使用を制限したいことを考慮すると、第１のアプリケーションは、第２のモードで使用が制限されているアプリケーションであることが好ましく、第２のアプリケーションは、第２のモードで使用が制限されていないアプリケーションが好ましい。図３を例にすると、第１のアプリケーションプログラムは、メールアプリケーションプログラム、ナビアプリケーションプログラム、及び音楽アプリケーションのいずれでもよく、第２のアプリケーションは、ゲームアプリケーション、WEBアプリケーション、及びカメラアプリケーションのいずれでもよい。
【００６９】
また、Ｓ３５にて、ユーザによる特定の入力操作を受け付けたときは、第２の通信端末に対して、更新すべき作業内容の有無を問い合わせてもよい。そして、問い合わせの結果、第２の通信端末から識別情報が含まれたデータを受信すると、そのデータに基づいて作業内容を更新し、更新後にＳ８の処理を実行してもよい。これにより、ユーザが第２の通信端末にて作業中に携帯電話機１００の第２モードが解除されたとしても、解除されたタイミングを知ることができ、また更新情報を携帯電話機１００に送付できるので、第２の通信端末での作業が携帯電話機１００に反映されないという課題を回避できる。また、第２の通信端末は、携帯電話機１００から更新の有無の問い合わせがあった場合に、更新情報を携帯電話機１００に送信することとしてもよい。第２の通信端末は、更新情報の有無を携帯電話機１００から受信した場合において更新情報が無いときは、更新情報が無い旨を識別情報と一緒に携帯電話機１００に送信してもよい。携帯電話機１００は、更新情報が無い旨を受信した場合は、更新情報が無いと判断し、Ｓ８に遷移してもよい。
【００７０】
この他、本発明の実施形態は、特許請求の範囲に示された技術的思想の範囲内において、適宜、種々の変更が可能である。
【符号の説明】
【００７１】
１０２  タッチパネル
１０３  スピーカ
１０４  マイク
１０５  操作部
１０６  アンテナ
１０７  無線部
１０８  信号処理部
１１０  記憶部
１１１  制御部
１１２  表示部
１１３  入力部
１１４  機能実行部
１１５  操作判定部
１１６  モード設定部
１１７  送信制御部
１１８  更新部
２００  記憶部
２０１  制御部
【図１】
0006034255.tif 000002
【図２】
0006034255.tif 000003
【図３】
0006034255.tif 000004
【図４】
0006034255.tif 000005
【図５】
0006034255.tif 000006
【図６】
0006034255.tif 000007
【図７】
0006034255.tif 000008